(57)【要約】【課題】小口径排水桝の開口部（掃除口）廻りの補強を行うとともに美観を向上せしめる化粧コンクリート板を提供すること。また、桝とコンクリート板とを短時間で簡単に一体化せしめる連結部材を提供すること。【解決手段】設置された小口径排水桝の上方からはめ込む様な方法で設置可能な桝蓋受枠外径よりも少し大きめのくり抜き部を設けたコンクリート板を形成し、コンクリート板くり抜き部内側周面に桝とコンクリート板とを一体化せしめるゴムリングを取付ける。【選択図】図１
0003112536.tif 000002
【実用新案登録請求の範囲】
【請求項１】
板の中心部に小口径排水桝の蓋受枠外径より少し大きめのくり抜き部を有し、板くり抜き部断面にゴムリングを固着されていることを特徴とする円形もしくは四角形のコンクリート板。
【請求項２】
前記コンクリート板は、くり抜き部断面に凹部を有する、又は末広がり状の傾斜を付けたくり抜き部を有することを特徴とする請求項１記載のコンクリート板。
【請求項３】
前記ゴムリングは、台形状に形成され台形底面に溝を設け離脱防止の突起物を有していることを特徴とする請求項１記載のゴムリング。
【考案の詳細な説明】
【技術分野】
【０００１】
本考案は、合成樹脂桝の開口部（掃除口）廻りに設置するコンクリート板に関するものである。
【背景技術】
【０００２】
口径を小さくした合成樹脂製の排水桝は主に、宅地内等の車の荷重が作用しない箇所での設置を目的とした排水桝であるが、公園、マンション等の通路、車庫、駐車場など車等の荷重が作用する場所での設置も多く、美観の向上や、開口部（掃除口、点検口）廻りの補強を目的として、開口部廻りをコンクリートで巻き立てることが多い。
現在では、これらを目的としたコンクリート板などの二次製品は製品化されておらず、現地で型枠を組み立てコンクリートを流し込む方法によっているのが現状で、これらを排水桝を設置された箇所ごとに行っていたのでは、多大な時間と経費が必要となる。代用品のコンクリートを利用した場合でも、合成樹脂桝とコンクリート板との隙間を連結するためにモルタルを埋めて一体化させることになるが、合成樹脂桝とモルタルとの付着は悪く、短期間で目地モルタルが剥離する問題が生ずる。そこで、合成樹脂桝開口部廻りの美観の向上と補強を、短時間で合成樹脂桝と一体化せしめることの可能なゴムリングを固着せしめたコンクリート板を製作することにより、これらの問題を解決することに成功した。
【特許文献１】実開平０６−０４３０４７号公報
【考案の開示】
【考案が解決しようとする課題】
【０００３】
本考案が解決しようとする課題は、合成樹脂製の小口径排水桝の開口部（掃除口）廻りの美観の向上及び補強を目的としたコンクリート板を提供すること。                
【０００４】
小口径排水桝とコンクリート板を簡単に短時間で一体化せしめる接合部材を提供することにある。
【課題を解決するための手段】
【０００５】
上記課題を解決するため、設置された合成樹脂製の小口径排水桝に、上方からはめ込むことの出来る様に、排水桝口径より少し大きめのくり抜き部を設けたコンクリート板を製作し、排水桝上部の開口部（掃除口）に、コンクリート板を設置した時に生ずる隙間を耐侯性のある合成ゴムで製作したリングを介在させることにより排水桝とコンクリート板とを一体化させることが可能となる。また、取り付けられたゴムリングが永年離脱しないようコンクリート板くり抜き部断面に凹部を設けゴムリングの形状を凸部に形成し、設置した時、ゴムリング凸部がコンクリート凹部にくい込む様な構造となるよう成形すれば良い。なお、コンクリート板はレジンコンクリート、合成樹脂、鋳鉄など強度の得られる材質で形成しても良い。  ゴムリングの代わりに、スポンジ、軟質塩化ビニール等の弾性体で形成しても良い。
【考案の効果】
【０００６】
簡単に短時間で、開口部の補強並びに美観の向上を行うことができる。
【考案を実施するための最良の形態】
【０００７】
本考案の具体的な課題（合成樹脂製の小口径排水桝上部の開口部廻りを補強し美観を向上させるコンクリート板を提供するとともに、桝とコンクリート板とを一体化を可能とする接合部材を提供する）を達成するためのコンクリート板は、設置された小口径桝の上方からはめ込む形で設置することを可能とした板の中心部に桝の外径より少し大きめのくり抜き部を設けた、たとえば、8ｃｍ程度の厚みのあるコンクリート板で、そのくり抜き部断面の内周面と小口径排水桝上部の開口部（桝蓋部）外周面とに生ずる隙間を耐侯性のある合成ゴムを介在させ、桝とコンクリート板を一体化せしめるゴムリングを固着させたことを特徴とするコンクリート板である。固着せしめているゴムリングは、ある程度の厚みをもたせた台形状リングで底面に溝を設けたことを特徴とする。この場合、設置順序としては、小口径桝立上がり部を設置しコンクリート板底面まで埋め戻した状態時にコンクリート板を設置する。その後に桝蓋受枠及び蓋を設置することで多少寸法の異なった外径桝（差し口形、受け口形）にでも、た易く設置することができる。また、コンクリート板とゴムリングを分離させ、台形状で底面部に溝を設けたゴムリングを設置された桝蓋外径周面に装着自在に取付けた後にコンクリート板をはめ込む方法でも良い。さらには、桝を被いかぶせることのできる大きさのくり抜き部を下方向に末広がり状に設けたコンクリート板を桝蓋外径周面に、たとえば強化スポンジの目地材をブチルゴムテープで取付けた後、桝にはめ込む形で設置できる形状にしても良い。  なお、コンクリート板はレジンコンクリート、強化プラスチックなどの合成樹脂、鋳鉄などの強度を有する材質で形成しても良く、ゴムリングの代わりに強化スポンジなどの弾性体もしくは、鋳鉄、強化プラスチック等の剛性体で隙間に合致する形状のものを成形しても良い。
【実施例１】
【０００８】
本考案の実施例１は、図１乃至図３を参照に説明する。  本実施例のコンクリート板１０は、設置された小口径排水桝２０を被いかぶせるように設置可能な桝蓋受枠３０の外径よりも少し大きめのくり抜き部４０を設け、くり抜き部断面周面５０に図３の様なコンクリート板１０と小口径排水桝20とに生ずる隙間６０より少し厚めの台形状のゴムリング７０底面に溝８０を設けた形状にすることにより小口径排水桝蓋受枠外径の異なる受け口形、差し口形に対応可能となる。それは、コンクリート板１０設置後、桝蓋受枠３０をゴムリング７０内に差込むことにより、取付けられたゴムリング縁９０が蓋受枠外周面１００に沿って開口部から曲げ下がることにより密着されるからである。また、ゴムリング７０は耐侯性のある合成ゴムで形成され離脱防止のためコブ１１０を設けるのが好ましく、コンクリート板１０とゴムリング７０が一体となるよう円形もしくは四角形にコンクリート板１０を成形すれば良い。
【実施例２】
【０００９】
本考案の実施例２は、図２、図４を参照に説明する。  本実施例のコンクリート板１０は、設置された小口径排水桝２０の上方からはめ込む方法で設置可能な小口径排水桝蓋受枠３０より少し大きめのくり抜き部４０を設け、小口径排水桝２０の蓋受枠外周面１００とコンクリート板１０のくり抜き部断面５０とを密着せしめる耐侯性のある合成ゴムで形成されたゴムリング７０を備えている。コンクリート板１０は、ある程度たとえば８ｃｍ程度の厚みを持たせ、くり抜き部４０の断面５０の形状を図４に示すように凸部１３０を設けた円形又は四角形に成形すれば良い。ゴムリング７０には、リング全体にひさし部１４０を設け、コンクリート板の凸部１３０で、ゴムリング７０のひさし部１４０の全体を押さえる構造に成形することによりゴムリング７０の離脱を防止できる。また、コンクリート板１０とゴムリング７０を一体成形する必要はなく、蓋受枠外周面１００に密着せしめる大きさのゴムリング７０を成形し、設置された蓋受枠３０に装着自在に取付け、その後コンクリート板１０を蓋受枠３０にはめ込む方法で設置すれば、取付けられたゴムリング縁９０が蓋受枠外周面１００に沿って開口部が曲げ下げられることにより密着せしめられるからである。また、実施例１同様、異なった受枠外径にも対応可能となるのである。
【実施例３】
【００１０】
本考案の実施例３は、図５を参照に説明する。  本実施例のコンクリート板１０は、設置された小口径排水桝２０の上方からはめ込む方法で設置可能な小口径排水桝の蓋受枠外径１００より少し大きめのくり抜き部４０を設け、そのくり抜き部は図５の様に厚さ内で一定のところまでは垂直に、それ以下は末広がり状に成形される。くり抜き部の垂直部分周面５０と小口径排水桝蓋受枠外周面１００との隙間に接合部材を介在させることにより一体化せしめるものであるが、設置された蓋受枠外周面１００にブチルゴム系のテープ１６０により、隙間より少し厚めの強化スポンジ１５０の目地材を取り付け、その後くり抜き部を設けたコンクリート板１０を小口径排水桝２０上方から被いかぶせる様に設置すれば良い。また、従来の様に目地材にモルタルを使用した場合でも充填する空間部が末広がりになっていることからモルタルの離脱を防止することができる。
【図面の簡単な説明】
【００１１】
【図１】本考案の実施例１の全体説明図である。
【図２】図１に使用するコンクリート板の平面図である。
【図３】図１に使用するゴムリングの拡大断面図である。
【図４】本考案の実施例２の全体説明図である。
【図５】本考案の実施例３の拡大断面図である。
【符号の説明】
【００１２】
１０    コンクリート板
２０    小口径排水桝
３０    小口径排水桝蓋受枠
４０    コンクリート板くり抜き部
５０    コンクリート板くり抜き部断面
６０    隙間
７０    ゴムリング
８０    ゴムリング溝
９０    ゴムリング縁
１００  小口径排水桝蓋受枠外周面
１１０  コブ
１２０  排水管
１３０  コンクリート板凸部
１４０  ゴムリングひさし部
１５０  強化スポンジ
１６０  ブチルゴム系のテープ
【図１】
0003112536.tif 000003
【図２】
0003112536.tif 000004
【図３】
0003112536.tif 000005
【図４】
0003112536.tif 000006
【図５】
0003112536.tif 000007